(57)【要約】      （修正有）【課題】同時に複数の通信機器に対し、ＬＡＮケーブルを介して電源を供給することによって、省配線・施工性を向上した直流電源分配器および通信機器配線システムを提供する。【解決手段】通信機器配線システム１では、ＬＡＮを構成する通信端末機器（電話機２１、ＰＣ２２ａ…２２ｎ）とＷＡＮとの間で授受される通信信号の変換を行う複数の通信機器（ＯＮＵ１１、ルータ１２、ＶｏＩＰアダプタ１３、ハブ１４）と、複数の通信機器をそれぞれ接続するＬＡＮケーブルの途中に電力重畳回路３ａ〜３ｃが接続された直流電源分配器２とを備えている。直流電源分配器２の電力重畳回路３ａ〜３ｃは、分電盤６から直流電源の供給を受けて、各ＬＡＮケーブルに直流電源を重畳することで各通信機器の動作電源を供給する。【選択図】図１
2010109496.tif 000002
【特許請求の範囲】
【請求項１】
異なるネットワークの間に接続され、一方のネットワークを構成する通信端末機器と他方のネットワークとの間で授受される通信信号の変換を行う複数種類の通信機器を備えた通信機器配線システムに用いられる直流電源分配器であって、
複数の通信機器の間をそれぞれ接続するＬＡＮケーブルの途中に接続されて、当該ＬＡＮケーブルに直流電源を重畳する電力重畳手段を備えたことを特徴とする直流電源分配器。
【請求項２】
一方のネットワークの通信信号と他方のネットワークの通信信号とを相互に変換して、通信方式の異なるネットワークを接続する回線終端装置と、
音声通話信号をＬＡＮ内のＩＰパケットに変換し、電話による通話を可能にするＶｏＩＰアダプタと、
複数の通信端末機器からのＩＰパケットと回線終端装置からのＩＰパケットを変換するとともに、各通信端末機器間でのＩＰパケットの授受を制御するルータと、
通信端末機器がＬＡＮケーブルを介して接続され各通信端末機器の通信信号の授受を行うハブと、
前記回線終端装置、ＶｏＩＰアダプタ、ルータ、及びハブが通信機器として接続された請求項１記載の直流電源分配器とを備え、
当該直流電源分配器の備える電力重畳手段が、各通信機器の間を接続するＬＡＮケーブルにそれぞれ直流電源を重畳して、各通信機器に動作電力を供給することを特徴とする通信機器配線システム。
【発明の詳細な説明】
【技術分野】
【０００１】
本発明は、複数の通信機器にＬＡＮケーブルを介して電源を分配する、直流電源分配器および通信機器配線システムに関するものである。
【背景技術】
【０００２】
近年、ＣＡＴＶ（ケーブルテレビ）やｘＤＳＬあるいは光ファイバなどの様々なインターネット接続サービスが提供されており、ケーブルモデムやｘＤＳＬモデムあるいはＯＮＵ（Ｏｐｔｉｃａｌ  Ｎｅｔｗｏｒｋ  Ｕｎｉｔ）といった、インターネットへの接続用のモデム（回線終端装置）を宅内に設置し、インターネットに常時接続する家庭や店舗などが増えている。
【０００３】
またＰＣ（パーソナルコンピュータ）の価格低下などによって、各家庭が複数のＰＣを有することも珍しくなく、インターネットに接続する場合には、前述のモデムにルータを接続し、さらにルータにリピータ・ハブやスイッチング・ハブを接続して、複数のＰＣをインターネットに同時に接続することが多くなっている。
【０００４】
また通信速度の向上やＶｏＩＰ（Ｖｏｉｃｅ  ｏｖｅｒ  Ｉｎｔｅｒｎｅｔ  Ｐｒｏｔｏｃｏｌ）技術の進歩によってＶｏＩＰ技術を利用した、いわゆるＩＰ電話の利用が増えてきており、ＩＰ電話を利用する場合には、前述のモデムにＶｏＩＰアダプタを接続し、ＶｏＩＰアダプタに一般的な電話機を接続して通話を行う。
【０００５】
これらルータ、ハブ、ＶｏＩＰアダプタなどの通信機器が、前述のモデムとともに情報盤の内部に収納された、マルチメディア配線システムも提供されている（例えば、特許文献１）。
【０００６】
この種の配線システムにおいては、前述のモデムを含む各通信機器（ルータ、ハブ、ＶｏＩＰアダプタ）は、カテゴリー５などのＬＡＮケーブルで接続され、各機器間はイーサネット（登録商標）フレーム上に乗せたＩＰパケットを含む通信信号によって通信している。
【特許文献１】特開２００４−８８３７９号公報
【発明の開示】
【発明が解決しようとする課題】
【０００７】
ところで、各通信機器（モデム、ルータ、ハブ、ＶｏＩＰアダプタ）は、いずれもその動作電源として、商用交流電源からの電源供給を受け、内蔵もしくは外部に接続されるＡＣ−ＤＣ変換器によって直流電源に変換し、それぞれが動作している。このため、これらの機器ごとに商用交流電源を供給するための配線が必要であり、多数のケーブルを接続する必要があるなどの問題があった。
【０００８】
また、各通信機器およびモデムは停電時の電力保証が望まれており、ＵＰＳなどの無停電電源装置を利用する場合であっても、やはり機器ごとに電源を供給するための配線が必要であり、多数のケーブルを接続する必要があるなどの問題があった。
【０００９】
本発明は、上記事由に鑑みて為されたものであり、その目的とするところは、同時に複数の通信機器に対してＬＡＮケーブルを介して電源を供給することによって、機器毎の電源用の配線数を低減した直流電源分配器および通信機器配線システムを提供することにある。
【課題を解決するための手段】
【００１０】
上記目的を達成するために、請求項１の発明では、異なるネットワークの間に接続され、一方のネットワークを構成する通信端末機器と他方のネットワークとの間で授受される通信信号の変換を行う複数種類の通信機器を備えた通信機器配線システムに用いられる直流電源分配器であって、複数の通信機器の間をそれぞれ接続するＬＡＮケーブルの途中に接続されて、当該ＬＡＮケーブルに直流電源を重畳する電力重畳手段を備えたことを特徴とする。
【００１１】
ここで通信機器が行う通信信号の変換とは、例えば光信号と電気信号との変換のように伝送路の物理条件の変換や、ＶｏＩＰ技術による音声通話信号とＩＰパケットとの変換のように信号形式の変換や、ＩＰパケット内のＩＰアドレスとポート番号を変換し単一のグローバルＩＰアドレス（ＷＡＮ内のＩＰアドレス）でＬＡＮを構成する複数の通信端末機器をＷＡＮに接続するアドレス変換が含まれる。
【００１２】
請求項２の発明では、一方のネットワークの通信信号と他方のネットワークの通信信号とを相互に変換して、通信方式の異なるネットワークを接続する回線終端装置と、音声通話信号をＬＡＮ内のＩＰパケットに変換し、電話による通話を可能にするＶｏＩＰアダプタと、複数の通信端末機器からのＩＰパケットと回線終端装置からのＩＰパケットを変換するとともに、各通信端末機器間でのＩＰパケットの授受を制御するルータと、通信端末機器がＬＡＮケーブルを介して接続され各通信端末機器の通信信号の授受を行うハブと、前記回線終端装置、ＶｏＩＰアダプタ、ルータ、及びハブが通信機器として接続された請求項１記載の直流電源分配器とを備え、当該直流電源分配器の備える電力重畳手段が、各通信機器の間を接続するＬＡＮケーブルにそれぞれ直流電源を重畳して、各通信機器に動作電力を供給することを特徴とする。
【発明の効果】
【００１３】
請求項１の発明によれば、電力重畳手段が各通信機器間を接続するＬＡＮケーブルに電力を重畳することで、各通信機器の動作電力を供給できるので、通信機器ごとに電源を供給するための配線が不要になり、省配線・施工性を向上して各通信機器をＷＡＮに接続することできる。
【００１４】
請求項２の発明によれば、直流電源分配器の電力重畳手段が、回線終端装置、ルータ、ハブ、ＶｏＩＰアダプタのそれぞれを接続するＬＡＮケーブルに電力を重畳して、それぞれの通信機器の動作電力を供給できるので、通信機器ごとに電源を供給するため配線が不要になり、省配線・施工性を向上して各通信機器をＷＡＮに接続することができる。
【発明を実施するための最良の形態】
【００１５】
以下に、本発明にかかる直流電源分配器を用いた通信機器配線システムの実施形態を図面に基づいて説明する。
【００１６】
図１は、通信機器配線システムの概略構成図であり、通信機器配線システム１は通信機器としてのＯＮＵ１１（回線終端装置）、ルータ１２、ＶｏＩＰアダプタ１３、およびハブ１４と、直流電源分配器２とを備えている。各通信機器が直流電源分配器２にＬＡＮケーブル５（５ａ…５ｆ）を介して接続され、直流電源分配器２から電力の供給を受けて動作することで、通信機器に接続された電話機２１やＰＣ２２ａ…２２ｎなどの通信端末機器とインターネットに接続された光回線網８（ＷＡＮ）との間で授受される通信信号の変換を行う通信機器配線システムである。
【００１７】
ここで各通信機器が行う通信信号の変換とは、光回線網８内の光信号とＬＡＮ内の電気信号との変換のような伝送路の物理条件の変換や、ＶｏＩＰ技術による音声通話信号とＩＰパケットとの変換のような信号形式の変換や、ＩＰパケット内のＩＰアドレスとポート番号を変換し単一のグローバルＩＰアドレス（ＷＡＮ内のＩＰアドレス）でＬＡＮを構成する複数の通信端末機器をＷＡＮに接続するアドレス変換機能によるＩＰパケットの変換が含まれる。
【００１８】
また宅内に設置される分電盤６は、商用交流電源７が一次側に接続される主幹ブレーカ６１と、主幹ブレーカ６１の二次側に接続される分岐ブレーカ６２と、分岐ブレーカ６２を介して入力された交流電源を直流に変換するＡＣ／ＤＣコンバータ６３と、ＡＣ／ＤＣコンバータ６３の出力と、太陽電池６５、二次電池６６、及び燃料電池６７からの出力との協調をとって直流電源配線Ｌ１に直流電源を供給する協調制御部６４とが収納され、後述の直流電源分配器２に直流電源配線Ｌ１を介して電源が供給される。
【００１９】
直流電源分配器２は、複数の電力重畳回路３（３ａ、３ｂ、３ｃ）と、各電力重畳回路３にそれぞれ２個を１組として接続される複数のモジュラジャック４（４ａ…４ｆ）によって構成されており、分電盤６から直流電源配線Ｌ１を介して直流電源の供給を受けて動作している。
【００２０】
ＬＡＮケーブル５は、ＩＳＯ８８７７で規格化された８極８芯のモジュラプラグ５１と、８極８芯のモジュラプラグ５１を両端に有する縒り対線形式のケーブル５２からなり、ケーブル５２によって両端のモジュラプラグ５１の各接点間が接続されている。なお、ＬＡＮケーブル５はＰｏＥ（Ｐｏｗｅｒ  ｏｖｅｒ  Ｅｔｈｅｒｎｅｔ(登録商標））に対応可能なケーブルであればよく、一般的にはＴＩＡ／ＥＩＡ−５６８Ｂ．２−２００１に規定された性能基準に準拠したカテゴリー５ｅなどのケーブルが用いられる。
【００２１】
各通信機器と直流電源分配器２の接続は、ＬＡＮケーブル５の有する一方のモジュラプラグ５１を直流電源分配器２の有するモジュラジャック４に差し込まれ、また、他方のモジュラプラグ５１を各通信機器の有するモジュラジャック（図示せず）に差し込まれることで接続されている。
【００２２】
電力重畳回路３ａは、モジュラジャック４ａ、４ｂの間を接続する電路の途中に設けられており、モジュラジャック４ａには、他方のモジュラプラグ５１がＯＮＵ１１のＬＡＮ側ポート（図示せず）に接続されたＬＡＮケーブル５ａのモジュラプラグ５１が差し込まれている。また、モジュラジャック３ｂには、他方のモジュラプラグ５１がルータ１２のＷＡＮ側ポート（図示せず）に接続されたＬＡＮケーブル５ｂのモジュラプラグ５１が差し込まれている。すなわち、ＯＮＵ１１とルータ１２は、ＬＡＮケーブル５ａ、５ｂ、および直流電源分配器２を介して接続されており、互いに通信信号の授受を行うことが可能である。
【００２３】
また図２に示すように、電力重畳回路３ａは、モジュラジャック４ａ、４ｂがそれぞれ有する１番ピン〜８番ピン４１〜４８が、それぞれ接続される端子Ｐ１…Ｐ８を１組ずつ備え、各組の対応する端子Ｐ１、Ｐ１間…端子Ｐ８、Ｐ８間は、電力重畳部３１を介して接続され、モジュラジャック４ａ、４ｂ間に電路を形成している。ここで電力重畳回路３ａは、直流電源配線Ｌ１を介して接続された分電盤６から直流電力の供給を受けて、端子Ｐ１、Ｐ２間および端子Ｐ３、Ｐ６間にそれぞれ直流電源を重畳しており、モジュラジャック４ａ、４ｂを介してＬＡＮケーブル５ａ、５ｂに電力が重畳されている。なお端子Ｐ１、Ｐ２間および端子Ｐ３、Ｐ６間には通信信号としてＩＰパケットが送受信されているが、ＩＥＥＥ８０２．３ａｆとして標準化されているように、ＩＰパケットの送信内容への干渉を発生させることなく、電力を重畳することができる。
【００２４】
電力重畳回路３ｂは、モジュラジャック４ｃ、４ｄの間を接続する電路の途中に設けられており、モジュラジャック４ｃには、他方のモジュラプラグ５１がルータ１２のＬＡＮ側ポート（図示せず）に接続されたＬＡＮケーブル５ｃのモジュラプラグ５１が差し込まれている。また、モジュラジャック３ｄには、他方のモジュラプラグ５１がＶｏＩＰアダプタ１３のＷＡＮ側ポート（図示せず）に接続されたＬＡＮケーブル５ｄのモジュラプラグ５１が差し込まれている。すなわち、ルータ１２とＶｏＩＰアダプタ１３は、ＬＡＮケーブル５ｃ、５ｄ、および直流電源分配器２を介して接続されており、互いに通信信号の授受を行うことが可能である。
【００２５】
また電力重畳回路３ｂは、電力重畳回路３ａと同様の回路を有し、直流電源配線Ｌ１を介して接続された分電盤６から直流電力の供給を受けて、電力重畳回路３ｂが有する端子Ｐ１、Ｐ２間および端子Ｐ３、Ｐ６間にそれぞれ直流電源を重畳しており、モジュラジャック４ｃ、４ｄを介してＬＡＮケーブル５ｃ、５ｄに電力が重畳されている。
【００２６】
電力重畳回路３ｃは、モジュラジャック４ｅ、４ｆの間を接続する電路の途中に設けられており、モジュラジャク４ｅには、他方のモジュラプラグ５１がＶｏＩＰアダプタ１３のＬＡＮ側ポート（図示せず）に接続されたＬＡＮケーブル５ｅのモジュラプラグ５１が差し込まれている。また、モジュラジャック３ｆには、他方のモジュラプラグ５１がハブ１４の有する接続ポート（図示せず）に接続されたＬＡＮケーブル５ｆのモジュラプラグ５１が差し込まれている。すなわち、ＶｏＩＰアダプタ１３とハブ１４は、ＬＡＮケーブル５ｅ、５ｆ、及び直流電源分配器２を介して接続されており、互いに通信信号の授受を行うことが可能である。
【００２７】
また電力重畳回路３ｃは、電力重畳回路３ａと同様の回路を有し、直流電源配線Ｌ１を介して接続された分電盤６から直流電力の供給を受けて、電力重畳回路３ｃが有する端子Ｐ１、Ｐ２間および端子Ｐ３、Ｐ６間にそれぞれ直流電源を重畳しており、モジュラジャック４ｅ、４ｆを介してＬＡＮケーブル５ｅ、５ｆに電力が重畳されている。
【００２８】
而して、ＷＡＮとＬＡＮとの間に、ＯＮＵ１１、ルータ１２、ＶｏＩＰアダプタ１３、及びハブ１４は順番に通信機器として接続され、各通信機器の間を接続するＬＡＮケーブル５（５ａ…５ｆ）が直流電源分配器２に接続されている。また、直流電源分配器２が備える電力重畳回路３（３ａ…３ｃ）によって、各通信機器の間を接続するＬＡＮケーブル５（５ａ…５ｆ）に電力が重畳されている。
【００２９】
ＯＮＵ１１は、ＰｏＥ受電機能を有しており、ＬＡＮ側に接続されたＬＡＮケーブル５ａを流れる通信信号に直流電源が重畳されていれば、通信信号と直流電源を分離して、分離した直流電源をＯＮＵ１１の動作電源として動作する。またＯＮＵ１１は、ＬＡＮ側に接続されたＬＡＮケーブル５ａから入力された通信信号を、光回線網８で使用される光信号に変換して光回線網８に送信するとともに、光回線網８から受信した光信号を、ＬＡＮ側で使用する通信信号に変換してＬＡＮケーブル５ａに送信する。
【００３０】
ルータ１２は、ＰｏＥ受電機能を有しており、ＷＡＮ側に接続されたＬＡＮケーブル５ｂを流れる通信信号や、ＬＡＮ側に接続されたＬＡＮケーブル５ｃを流れる通信信号に直流電源が重畳されていれば、通信信号と電源を分離してルータ１２の動作電源として動作する。またルータ１２は、ＰＰＰｏＥによる認証機能を有しており、イーサネット(登録商標)フレームにＰＰＰ認証用データを含めて光回線網８に送信して認証することで、光回線網８に接続されたＩＳＰサーバ（図示せず）からＤＮＳやＤＨＣＰなどのサービスを受けることができ、同時に、いわゆるグローバルＩＰを取得して、光回線網８に接続されたサーバや通信端末機器と通信を行うことができる。
【００３１】
またルータ１２は、ルーティング機能及びアドレス変換機能を有しており、ＬＡＮ側に接続されたＬＡＮケーブル５ｃを介して受信したＩＰパケットの宛先アドレスを確認し、ＷＡＮ側のＬＡＮケーブル５ｂかＬＡＮ側のＬＡＮケーブル５ｃの何れに送信するかを選択して送信する。ここで、ＷＡＮ側のＬＡＮケーブル５ｂに送信する場合には、アドレス変換を行って前述のグローバルＩＰから送信されたＩＰパケットとして、光回線網８に送信する。またルータ１２は、ＷＡＮ側に接続されたＬＡＮケーブル５ｂを介して受信したＩＰパケットをアドレス変換し、ＬＡＮ側に接続されたＶｏＩＰアダプタ１３や、ハブ１４を介して接続されている２２ａ…２２ｂの何れかを宛先アドレスとしたＩＰパケットとして、ＬＡＮケーブル５ｃに送信する。これにより、ＩＳＰサーバから光回線網８内のグローバルＩＰを一つ取得するだけで、複数の通信端末機器による通信が可能となる。
【００３２】
ＶｏＩＰアダプタ１３は、ＰｏＥ受電機能を有しており、ＷＡＮ側に接続されたＬＡＮケーブル５ｄを流れる通信信号や、ＬＡＮ側に接続されたＬＡＮケーブル５ｅを流れる通信信号に直流電源が重畳されていれば、通信信号と電源を分離してＶｏＩＰアダプタ１３の動作電源として動作する。また、ＶｏＩＰアダプタ１３には、電話機２１が６極６芯、６極４芯、６極２芯の何れかの電話ケーブルＬ２によって接続されている。ＶｏＩＰアダプタ１３は、電話機２１から送信されたアナログ電話信号をデジタル信号に変換し、さらにデジタル信号をＩＰパケットに変換してＬＡＮケーブル５ｄに出力するとともに、ＬＡＮケーブル５ｄから入力されたＩＰパケットのうち宛先アドレスがＶｏＩＰアダプタであるものについてはデジタル信号に変換し、さらにデジタル信号をアナログ信号に変換して電話機２１に送信する。また、ＬＡＮケーブル５ｄから受信したＩＰパケットのうち、宛先アドレスがＶｏＩＰアダプタではないＩＰパケットは、ＬＡＮ側に接続されたＬＡＮケーブル５ｅを介してハブ１４に送信するとともに、ＬＡＮケーブル５ｅから送信されたＩＰパケットは、ＬＡＮケーブル５ｄに送信する。
【００３３】
ハブ１４は、ＰｏＥ受電機能を有しており、ハブ１４が有する複数の接続ポート（図示せず）の何れか一つに接続されたＬＡＮケーブル５ｆを流れる通信信号に、直流電源が重畳されていれば、通信信号と電源を分離してハブ１４の動作電源として動作する。ハブ１４には、複数のＰＣ２２ａ…２２ｎがＬＡＮケーブルＬ３ａ…Ｌ３ｎを介して接続されており、ＬＡＮケーブル５ｆを介して入力されたＩＰパケットをＰＣ２２ａ…２２ｎにマルチキャストする。また、何れかのＰＣ２２ａ…２２ｎから送信されたＩＰパケットが入力されると、ＬＡＮケーブル５ｆに出力するとともに、ＩＰパケットを入力したＰＣ以外が接続されたＬＡＮケーブル５にマルチキャストする。
【００３４】
ここで、ＰＣ２２ａが光回線網８に接続された別のサーバ（図示せず）と通信する場合について説明する。ＰＣ２２ａが宛先アドレスとして光回線網８に接続されたサーバのアドレスを格納したＩＰパケットを、ハブ１４に対して送信すると、ハブ１４はＰＣ２２ｂ〜２２ｎに対してＩＰパケットを送信するとともに、ＬＡＮケーブル５ｆ及び直流電源分配器２を介してＶｏＩＰアダプタ１３に送信する。ＰＣ２２ｂ〜ＰＣ２２ｎは、受信したＩＰパケット内の宛先ＩＰアドレスが自機のアドレスではないので、受信したＩＰパケットを破棄するが、ＶｏＩＰアダプタは、受信したＩＰパケットをＬＡＮケーブル５ｄを介してルータ１２に送信する。ルータ１２は受信したＩＰパケットの宛先アドレスが光回線網８に存在することを確認し、ＩＰパケットをアドレス変換してＬＡＮケーブル５ｂを介してＯＮＵ１１に送信する。ＯＮＵ１１は受信した通信信号であるＩＰパケットを、光信号に変換して光回線網に接続されたサーバ宛に送信する。
【００３５】
一方ＷＡＮ側からの信号を受信する際は、光回線網に接続されたサーバは光回線網を介して、ＩＰパケットを含む光信号をＯＮＵ１１に送信する。ＯＮＵ１１は、受信した光信号を通信信号としてＩＰパケットへ変換して、ＬＡＮケーブル５ａを介してルータ１２に送信する。ルータ１２は、受信したＩＰパケットをアドレス変換して、宛先アドレスをＰＣ２２ａとしたＩＰパケットをＬＡＮケーブル５ｃを介してＶｏＩＰアダプタ１３に送信する。ＶｏＩＰアダプタ１３は、受信したＩＰパケットの宛先アドレスがＶｏＩＰアダプタ１３のアドレスでは無いことを確認して、ＬＡＮケーブル５ｅを介してハブ１４に送信する。ハブ１４は、受信したＩＰパケットをＰＣ２２ａ〜２２ｎにマルチキャストし、ＩＰパケットを受信したＰＣ２２ａは、ＩＰパケットの宛先アドレスが自機のアドレスであることを確認して、ＩＰパケット内の情報を取得する。また、ＰＣ２２ｂ〜ＰＣ２２ｎは、受信したＩＰパケットの宛先アドレスが、自機のアドレスではないことを確認して、受信したＩＰパケットを破棄する。
【００３６】
このようにして、ＰＣ２２ａと光回線網に接続された任意のサーバとの信号の授受が行われることで、ＰＣ２２ａと光回線網８に接続されたサーバや通信端末機器との通信が行われる。
【００３７】
またことのとき、各通信機器（ＯＮＵ１１、ルータ１２、ＶｏＩＰアダプタ１３、ハブ１４）を接続するＬＡＮケーブル５（５ａ…５ｆ）には、電力重畳回路３（３ａ…３ｃ）によって、各モジュラジャック４（４ａ…４ｆ）を介して電力が重畳されている。各通信機器には、前述の通りＰｏＥ受電機能を備えているので、ＬＡＮケーブル５に重畳された電力から各通信機器は電力の供給を受けて動作することができる。
【００３８】
以上に述べたように、各通信機器（ＯＮＵ１１、ルータ１２、ＶｏＩＰアダプタ１３、ハブ１４）は、直流電源分配器２が重畳した直流電源をＬＡＮケーブル５（５ａ…５ｆ）を介して受電して動作するとともに、ＬＡＮケーブル５（５ａ…５ｆ）を介して、ＬＡＮとＷＡＮに接続された通信端末機器の通信を行うことができるので、各通信機器の動作電源を確保する電源ケーブルを無くすことができ、省配線・施工性を向上した通信機器配線システムを提供することができる。
【００３９】
また本システムでは、電力重畳回路３（３ａ…３ｆ）に直流電源を供給する電源として、商用交流電源７から供給される交流電流を直流電流に変換するＡＣ／ＤＣコンバータ６３と、商用交流電源７の停電時に直流電源を供給する太陽電池６５、二次電池６６、燃料電池６７などからなるバックアップ電源とを備えており、停電時にはこれらのバックアップ電源（太陽電池６５、二次電池６６、燃料電池６７）から電力重畳回路３に直流電源が供給されるので、停電中もＬＡＮケーブル５（５ａ…５ｆ）に直流電源を重畳して、各通信機器（ＯＮＵ１１、ルータ１２、ＶｏＩＰアダプタ１３、ハブ１４）を動作させることができる。
【００４０】
なお本実施の形態では、各電力重畳回路３の電力重畳部３１が、通信信号の伝送用に使われている端子Ｐ１、Ｐ２間および端子Ｐ３、Ｐ６間に直流電源を重畳しているが、通信信号の伝送用に使われていない端子Ｐ４、Ｐ５間および端子Ｐ７、Ｐ８間に直流電源を重畳するようにしてもよい。この場合、各通信機器は、端子Ｐ４、Ｐ５および端子Ｐ７、Ｐ８に対応した縒り対線から電力を取得する必要があるが、ＩＥＥＥ８０２．３ａｆで標準化されているとおり、各通信機器は予め両方の給電方法について対応した機器であるのが一般的であるので、同じ通信機器を使用することができる。
【００４１】
また本実施の形態ではハブ１４に、受信したＩＰパケットを他の機器に対してマルチキャストする、リピータ・ハブを用いたが、送信先ＭＡＣアドレスを判定して送信先を限定するレイヤ２スイッチなどのスイッチを用いてもよく、同様の機能を有するルータなどの機器を用いてもよい。
【００４２】
また本実施の形態では、ＯＮＵを用いて光回線網に接続しているが、ｘＤＳＬモデムを用いてｘＤＳＬ回線網に接続する場合や、ケーブルモデムを用いてＣＡＴＶ回線網に接続する場合であっても同様である。
【００４３】
さらに本実施の形態では、通信機器として回線終端装置、ルータ、ＶｏＩＰアダプタ、およびハブを接続しているが、各通信機器のうちいずれかの通信機器を選択的に直流電源分配器に接続しても良く、また、ＰｏＥに対応した複数の機能を有する異なる通信機器を接続してもよい。さらに、各通信機器の接続順序を入れ替えて、各通信機器間を接続してもよい。
【図面の簡単な説明】
【００４４】
【図１】本発明の実施の形態に係る通信機器配線システムを示すシステム構成図である。
【図２】同通信機器配線システムで使用する、直流電源分配器の要部を示す概略回路図である。
【符号の説明】
【００４５】
１    通信機器配線システム
２    直流電源分配器
３ａ…３ｃ  電力重畳回路（電力重畳手段）
４ａ…４ｆ  モジュラジャック
５ａ…５ｆ  ＬＡＮケーブル
６    分電盤
１１  ＯＮＵ（回線終端装置）
１２  ルータ
１３  ＶｏＩＰアダプタ
１４  ハブ
２１  電話機（通信端末機器）
２２ａ…２２ｎ  ＰＣ（通信端末機器）
【図１】
2010109496.tif 000003
【図２】
2010109496.tif 000004